(57)【要約】      （修正有）【課題】調理容器の厚さに応じて互換的に把持することができ、シンプルで堅固で安定的に具現する着脱式容器取っ手を提供する。【解決手段】先端部に把持面を備えた取っ手ボディーと；取っ手ボディーの先端部で相対的に進退するように取っ手ボディーの内部に結合され、把持面と向い合う把持片を備えた把持具と；把持具の上下面に貫設され、内周面には把持作動カム孔面４８を備えた把持作動孔と；取っ手ボディーに回転可能に備えられたカムと；把持具と把持片を取っ手ボディーの把持面に近くなるように引く把持カム部５０と；カム及び把持カム部５０の回転によって把持具と把持片が把持カム部５０にかかって１次把持状態を維持するロッキング部材６０と；１次把持状態を維持するとともにカムと把持カム部５０の回転によって把持具が２次把持状態で把持サポート部６２がロッキング部材６０を弾支する把持サポート弾性体と；を含む。【選択図】図７
2014036838.tif 000002
【特許請求の範囲】
【請求項１】
先端部に容器２を把持するための把持面１０ｓを備えた取っ手ボディー１０と；
前記取っ手ボディー１０の先端部で相対的に進退するように前記取っ手ボディー１０の内部に結合され、先端部には前記取っ手ボディー１０の前記把持面１０ｓと向い合う把持片２２を備えた把持具２０と；
前記把持具２０の上下面に貫設され、内周面には把持作動カム孔面４８を備えた把持作動孔４０と；
前記取っ手ボディー１０に回転可能に備えられたカム３０と；
前記カム３０に備えられ、前記カム３０と一緒に前記把持具２０の前記把持作動孔４０の内部領域で回転し、前記カム３０の回転によって前記把持作動孔４０の前記把持作動カム孔面４８に沿ってスライドしながら前記把持具２０と前記把持片２２を前記取っ手ボディー１０の前記把持面１０ｓに近くなるように引く把持カム部５０と；
前記把持カム部５０の回転軌跡上に配置される把持サポート部６２を一側に備え、上部にはリリースボタン６３が伸びて前記取っ手ボディー１０の上面に前記リリースボタン６３の一部が露出され、前記取っ手ボディー１０の内部に昇降可能に結合され、前記カム３０及び前記把持カム部５０の回転によって前記把持具２０と前記把持片２２が前記取っ手ボディー１０の内部に引かれた１次把持状態で前記把持カム部５０にかかって前記１次把持状態を維持するロッキング部材６０と；
前記ロッキング部材６０の前記把持サポート部６２が前記カム３０の前記把持カム部５０にかかった前記１次把持状態を維持するとともに前記カム３０と前記把持カム部５０の継続した回転によって前記把持具２０が前記取っ手ボディー１０の内部に全く引かれた２次把持状態で前記把持サポート部６２が前記把持カム部５０の回転軌跡上に配置されるように前記ロッキング部材６０を上向きに弾支する把持サポート弾性体７０と；を含むことを特徴とする、着脱式容器取っ手。
【請求項２】
前記取っ手ボディー１０の内部に備えられ、前記把持具２０が前記取っ手ボディー１０の内部に引かれた状態で前記把持具２０と前記把持片２２を前記取っ手ボディー１０の先端側に押し出す力を作用させるリリース弾性体２８をさらに含むことを特徴とする、請求項１に記載の着脱式容器取っ手。
【請求項３】
前記ロッキング部材６０の前記把持サポート部６２は、長手方向の中心部を基準に一側に備えられた把持ガイド面６２ａと、他側に備えられた把持サポート面６２ｂとを含み、
前記カム３０に備えられた前記把持カム部５０は、長手方向の中心部を基準に一側面に備えられ、前記把持具２０と前記把持片２２が前記取っ手ボディー１０の先端部の前記把持面１０ｓから最も遠い距離に引き出されたリリース状態で前記把持サポート部６２の前記把持ガイド面６２ａと向い合う位置に配置される回転把持ガイド面５０ａと、他側面に備えられ、前記把持具２０の前記把持片２２が前記取っ手ボディー１０の先端部の前記把持面１０ｓに１次に近づくように引かれた前記１次把持状態で前記把持サポート部６２の前記把持サポート面６２ｂにかかる接触把持係止面５０ｂとを含むことを特徴とする、請求項１に記載の着脱式容器取っ手。
【請求項４】
前記把持サポート部６２の前記把持ガイド面６２ａの外表面は曲面部でなり、前記把持カム部５０の前記回転把持ガイド面５０ａの外表面も曲面部でなり、前記カム３０及び前記把持カム部５０の回転の際、前記回転把持ガイド面５０ａが前記把持ガイド面６２ａを滑らかに越えるように構成されたことを特徴とする、請求項３に記載の着脱式容器取っ手。
【請求項５】
前記ロッキング部材６０は、前記把持サポート部６２が一側に備えられ、上面には前記リリースボタン６３が備えられたロッキングボディー部６５を含み、
前記取っ手ボディー１０の内部には、前記ロッキングボディー部６５の底面と前記把持サポート部６２の底面と向い合う位置にそれぞれロッキングボディー部昇降凹部１２ｅｈと把持サポート部昇降凹部１３ｅｈが形成され、
前記ロッキング部材６０の前記ロッキングボディー部６５と前記取っ手ボディー１０の内部の前記ロッキングボディー部昇降凹部１２ｅｈの間には前記把持サポート弾性体７０が介装されたことを特徴とする、請求項１に記載の着脱式容器取っ手。
【請求項６】
前記把持サポート部６２の上面は前記ロッキングボディー部６５の上面より低い位置に形成され、前記把持サポート部６２の底面は前記ロッキングボディー部６５の底面より低い位置に形成され、
前記把持サポート部昇降凹部１３ｅｈの底部は前記ロッキングボディー部昇降凹部１２ｅｈの底部より深い位置に形成されたことを特徴とする、請求項５に記載の着脱式容器取っ手。
【請求項７】
前記把持作動孔４０は、前記把持具２０の前後移動方向に伸びた一側の第１サイドカム孔面４２と、前記第１サイドカム孔面４２に繋がり、前記把持具２０の前後移動方向とは交差する方向に伸びたフロントカム孔面４４と、前記フロントカム孔面４４と交差する方向に繋がり、前記把持具２０の前後移動方向に伸びた第２サイドカム孔面４６と、前記第１サイドカム孔面４２及び前記第２サイドカム孔面４６に繋がり、前記把持具２０の前後移動方向とは交差する方向に伸び、前記フロントカム孔面４４より後方位置に配置され、一端部側より他端部側が前記把持具２０の先端側にもっと前進した位置に配置されるように斜めに伸びた前記把持作動カム孔面４８とを含み、
前記カム３０に備えられた前記把持カム部５０は、前記把持具２０の前記把持片２２が前記取っ手ボディー１０の先端部の前記把持面１０ｓから最も遠い距離に引き出されたリリース状態で前記把持作動カム孔面４８の前記一端部側に配置されたことを特徴とする、請求項１に記載の着脱式容器取っ手。
【請求項８】
前記把持作動カム孔面４８は、前記把持具２０の上部から見るとき、前記把持具２０の長手方向の中心部を基準に左側位置に前記一端部が配置され、右側位置に前記他端部が配置され、前記把持作動カム孔面４８の右側端部が左側端部より前記把持具２０の先端側にもっと前進した位置に配置されるように斜めに伸び、
前記カム３０に備えられた前記把持カム部５０の回転把持スタート地点が前記把持作動カム孔面４８の左側に配置され、前記カム３０と前記把持カム部５０の回転によって前記把持具２０に形成された前記把持作動孔４０の前記把持作動カム孔面４８が前記把持カム部５０によって後ろに押されて前記把持具２０が前記取っ手ボディー１０の内部に引かれる把持作動がなされることを特徴とする、請求項７に記載の着脱式容器取っ手。
【請求項９】
前記把持作動孔４０の前記第１サイドカム孔面４６は前記把持具２０の進退方向に平行な直線延長型カム孔面でなり、前記第２サイドカム孔面４８は前記カム３０に備えられた前記把持カム部５０の先端部が越えるように曲面孔の形態に形成されたことを特徴とする、請求項７に記載の着脱式容器取っ手。
【発明の詳細な説明】
【技術分野】
【０００１】
本発明は着脱式容器取っ手に係り、より詳しくは調理容器から分離するとか調理容器に結合するための着脱構造において、従来に比べて簡素化して構造及び費用の面などでより効率的であり、調理容器の厚さに応じて比較的互換的に使うことができ、調理容器の厚さに応じて多様な規格の取っ手を常備する必要がないので、消費者に対する経済的負担加重の問題を解決し、さらに前記のような調理容器の厚さに応じて互換的に把持することができる構造は、よりシンプルでありながらも堅固で安定的に具現することで製品の信頼性をより高めることができるので、多方面で好ましい結果を提供することができる新規の着脱式容器取っ手に関する。
【背景技術】
【０００２】
鍋やフライパンのような調理容器は食べ物を沸かすとか調理するように製作された容器で、飲食物を収容することができる収容空間を持つ容器本体と、この容器本体を持って加熱器具に移動させるか、あるいは飲食物の調理が済んだ後、加熱器具から他の場所に移動させることができるように、容器本体の一側に備えられた取っ手とを備えたものであり、調理容器による調理が完了すれば、容器本体の一側に伸びた取っ手を使用者が手で握って所望の場所に移動をするなどの仕事をすることになる。
【０００３】
ところで、調理容器に備えられた取っ手は脱着できない構造に製作されて容器本体の体積を増やすため、保管の際、空間の制約を受けるなどの多くの問題点をもたらす。よって、近年には容器本体に着脱可能に結合して使うことができる着脱式容器取っ手が開発されてたくさん使われている。
【０００４】
しかし、従来の調理容器の着脱式容器取っ手は、ほとんどが容器本体から分離するか容器本体に結合するための着脱構造が複雑であるという点で、構造及び費用の面などで多少非効率的であると言える。また、従来の着脱式容器取っ手は調理容器の容器本体の厚さに応じて使うことが困難な点があるため、容器本体の厚さによって多様な規格の取っ手を常備しなければならないので、消費者に経済的負担となるなどの問題も持っている。
【発明の概要】
【発明が解決しようとする課題】
【０００５】
本発明は前述したような問題を解決するためになされたもので、本発明の目的は、調理容器から分離するか調理容器に結合するための着脱構造において、従来に比べて簡素化して構造及び費用の面などでより効率的であり、調理容器の厚さに応じて比較的互換的に使うことができ、調理容器の厚さによって多様な規格の取っ手を常備する必要がないので、消費者に経済的負担を加重させるなどの場合も解決し、さらに調理容器の厚さに応じて互換的に把持することができる構造は、よりシンプルでありながらも堅固で安定的に具現することで製品の信頼性をより高めることができるので、多方面で好ましい結果を期待することができる新規の構成の着脱式容器取っ手を提供することを主目的とする。
【課題を解決するための手段】
【０００６】
前記のような課題を解決するための本発明によれば、先端部に容器を把持するための把持面を備えた取っ手ボディーと；前記取っ手ボディーの先端部で相対的に進退するように前記取っ手ボディーの内部に結合され、先端部には前記取っ手ボディーの前記把持面と向い合う把持片を備えた把持具と；前記把持具の上下面に貫設され、内周面には把持作動カム孔面を備えた把持作動孔と；前記取っ手ボディーに回転可能に備えられたカムと；前記カムに備えられ、前記カムと一緒に前記把持具の前記把持作動孔の内部領域で回転し、前記カムの回転によって前記把持作動孔の前記把持作動カム孔面に沿ってスライドしながら前記把持具と前記把持片を前記取っ手ボディーの前記把持面に近くなるように引く把持カム部と；前記把持カム部の回転軌跡上に配置される把持サポート部を一側に備え、上部にはリリースボタンが伸びて前記取っ手ボディーの上面に前記リリースボタンの一部が露出され、前記取っ手ボディーの内部に昇降可能に結合され、前記カム及び前記把持カム部の回転によって前記把持具と前記把持片が前記取っ手ボディーの内部に引かれた１次把持状態で前記把持カム部にかかって前記１次把持状態を維持するロッキング部材と；前記ロッキング部材の前記把持サポート部が前記カムの前記把持カム部にかかった前記１次把持状態を維持するとともに前記カムと前記把持カム部の継続した回転によって前記把持具が前記取っ手ボディーの内部に全く引かれた２次把持状態で前記把持サポート部が前記把持カム部の回転軌跡上に配置されるように前記ロッキング部材を上向きに弾支する把持サポート弾性体と；を含むことを特徴とする、着脱式容器取っ手が提供される。
【発明の効果】
【０００７】
本発明は、把持具２０が取っ手ボディー１０の先端側に全く引き出されて把持具２０の先端部の把持片２２が取っ手ボディー１０の先端部把持面１０ｓから最も遠い距離で離隔したリリース状態でカム３０に結合されているレバーを内側方向（つまり、把持具２０を引く方向）に１次に回すと、前記カム３０と把持カム部５０が回転し、このような回転によって把持カム部５０の一側面の回転把持ガイド面５０ａが前記ロッキング部材６０の一側に備えられた把持サポート部６２の一側面に備えられた把持ガイド面６２ａを越え、前記把持カム部５０の回転把持ガイド面５０ａの外表面は曲面部（または傾斜ガイド面）でなり、ロッキング部材６０の把持サポート部６２の把持ガイド面６２ａも曲面部（または傾斜ガイド面）でなるので、カム３０と把持カム部５０を回転させるとき、ロッキング部材６０の把持サポート部６２の把持ガイド面６２ａを把持カム部５０の回転把持ガイド面５０ａが滑らかに越えて、把持カム部５０とロッキング部材６０の把持サポート部６２の係止作用がより滑らかになされ、このようにカム３０の把持カム部５０とロッキング部材６０の把持サポート部６２の係止作用によって容器を把持することができる１次把持状態となり、このようにカム３０に結合されたレバーを１次に回転させて、把持具２０の把持片２２と取っ手ボディー１０の先端部の把持面１０ｓの間に容器を１次に把持した１次把持状態で、カム３０に結合されているレバーをさらに回転（把持具２０の進退方向に平行な方向に回転）させれば、把持具２０が取っ手ボディー１０の内側にさらに押し込まれて容器の２次把持（完全把持）状態となる構成を持つものであり、本発明では、把持具２０の把持作動孔４０をなす把持作動カム孔面４８は把持具２０の進退方向に対して一定角度で斜めに形成されているので、前記カム３０の下側把持カム部５０をカム３０と一緒に回転作動させるとき、取っ手ボディー１０の先端部の把持面１０ｓと把持具２０の把持片２２の間に確保される把持空間の範囲を最大化することにより、容器の多様な厚さに応じて容器を把持することができる。すなわち、把持具２０の把持作動孔４０をなす把持作動カム孔面４８の一側が他側より把持具２０の先端側にもっと前進するように斜めに配置された構造を取っているので、前記カム３０の把持カム部５０が把持具２０に備えられた把持作動孔４０の把持作動カム孔面４８に接触したままで回転して把持具２０を進退作動させることができる円周距離（有効距離）をより増やすことができ、このようにカム３０の把持カム部５０で把持具２０の進退作動を行う部分である円弧形第３カム３０の面が把持具２０の把持作動カム孔面４８と接触して把持具２０を引く円周有効距離を増やすことによって把持具２０の進退距離範囲をより拡張させ、把持具２０の先端部の把持片２２と取っ手ボディー１０の先端部の把持面１０ｓの間での容器把持用空間の距離範囲をより広く調節することができ、よっていろいろの厚さの容器を滑らかで安定的に把持して移動させることができる。
【０００８】
また、本発明は、把持具２０が取っ手ボディー１０の内部に全く後退して、容器の完全把持状態でも把持カム部５０と把持作動孔４０の内部の前後位置で堅固に結合される状態となり、把持具２０の先端部の把持片２２が取っ手ボディー１０の先端側に１次に近接した１次把持状態と把持具２０の先端部の把持片２２が取っ手ボディー１０の把持面１０ｓと一番近い位置に近づいた完全把持（２次把持）状態で把持具２０が前後に遊動する隙間が生じないように堅固に取る構造となることができるので、把持具２０の把持片２２と取っ手ボディー１０の把持面１０ｓの間に容器を挟んで把持した状態で把持具２０が前後に揺れて容器が落ちてしまう不安定要素をより確かに防止する利点を持つ。
【０００９】
また、本発明は、容器を１次に把持した状態を維持するロッキング機能と１次把持状態からリリース状態に切り換えるアンロッキング機能（つまり、容器を１次に把持した力を解除するリリース機能）を果たす単一部品をロッキング部材６０に統合して構成することで、容器取っ手そのものの構成もよほど簡素化することができる効果を持ち、これによって生産性が向上するなどのいろいろの好ましい効果を期待することができる。
【図面の簡単な説明】
【００１０】
【図１】本発明の着脱式容器取っ手の要部である取っ手ボディーの内側面を示す斜視図である。
【図２】本発明の要部であるロッキング部材の部分を示す斜視図である。
【図３】本発明の他の要部である把持具を示す斜視図である。
【図４】本発明の他の要部であるカムの底面を示す斜視図である。
【図５】図４の上面を示す斜視図である。
【図６ａ】本発明の要部であるカムの底面図である。
【図６ｂ】図６ａの平面図である。
【図７】本発明による着脱式容器取っ手の分解斜視図である。
【図８】図７に示す要部の組立て過程を示す斜視図である。
【図９】図７に示す要部の組立て過程を示す斜視図である。
【図１０】図７に示す要部の組立て過程を示す斜視図である。
【図１１】本発明による着脱式取っ手の構造を示す一側面図である。
【図１２】本発明による着脱式容器取っ手のリリース状態を示す斜視図である。
【図１３】図１２に示す着脱式容器取っ手において、把持具、カム及びロックキング部材の作動状態を概略的に示す平面図である。
【図１４】図１３に示すカム、カム把持部及びロックキング部材を示す平面図である。
【図１５】図１４のＡ１−Ａ１線についての縦断面拡大図である。
【図１６】図１４のＢ１−Ｂ１線についての縦断面拡大図である。
【図１７】本発明による着脱式容器取っ手の１次把持状態を示す斜視図である。
【図１８】図１７に示す１次把持状態に転換されるとき、把持具、カム及びロックキング部材の作動状態を概略的に示す平面図である。
【図１９】図１８に示すカム、カム把持部及びロックキング部材を示す平面図である。
【図２０】図１９のＢ２−Ｂ２線についての縦断面拡大図で、カム把持部とロックキング部材の把持サポート部の作動を拡大して示す図である。
【図２１】図１９のＢ２−Ｂ２線についての縦断面拡大図で、カム把持部とロックキング部材の把持サポート部の作動を拡大して示す図である。
【図２２】図１７に示す１次把持状態で、把持具、カム及びロックキング部材の作動状態を概略的に示す平面図である。
【図２３】図２２に示すカム、カム把持部及びロックキング部材を示す平面図である。
【図２４】図２３のＢ３−Ｂ３線についての縦断面拡大図である。
【図２５】本発明による着脱式容器取っ手の２次把持状態を示す斜視図である。
【図２６】図２５の２次把持状態で、把持具、カム及びロックキング部材の作動状態を概略的に示す平面図である。
【図２７】本発明による着脱式容器取っ手で容器を把持した状態を示す斜視図である。
【発明を実施するための形態】
【００１１】
以下、添付図面を参照して本発明の好適な実施例について詳細に説明する。
【００１２】
図面を参照すれば、本発明の実施例による着脱式容器取っ手は、把持具２０が先端部で進退可能に結合された取っ手ボディー１０、この取っ手ボディー１０に正逆回転可能に備えられたカム３０、前記把持具２０に形成された把持作動孔４０、前記カム３０に備えられた把持カム部５０、前記取っ手ボディー１０に備えられ、カム３０の回転によって把持具２０が取っ手ボディー１０の内部に１次後退した１次把持状態で把持カム部５０にかかる把持サポート部６２を備えたロッキング部材６０、このロッキング部材６０の把持サポート部６２がカム３０に備えられた把持カム部５０の回転軌跡上に配置されるように支持するロッキングサポート弾性体、及び前記把持具２０を取っ手ボディー１０の先端部の方向に押し出す力を作用するリリース弾性体２８を備えている。
【００１３】
前記取っ手ボディー１０は、下側ボディー部１０Ａ上に上側ボディー部１０Ｂが締結手段によって互いに結合されてなる。
【００１４】
前記下側ボディー部１０Ａは、上側ボディー部１０Ｂの底面と向い合う上面に、先端部から後端部の方向に沿ってボルト孔１２ａ１、ロッキング部材昇降凹部、リリース弾性体結合凹部、及び後方側のボルト孔１２ａ２を備えることができる。前方のボルト孔１２ａ１は上方にもっと突出したストップ突部に形成される。前記前方のボルト孔１２ａ１とロッキング部材昇降凹部の間には、カム３０の底面中央部に備えられたカム軸３２が結合するための軸孔１４ｂが形成されている。この際、ロッキング昇降凹部は、後述するロッキング部材６０の把持サポートの底面と向い合う把持サポート部昇降凹部１３ｅｈと、ロッキング部材６０のロッキングボディー部６５の底面と向い合うロッキングボディー部昇降凹部１２ｅｈとからなる。また、ロッキングボディー部昇降凹部１２ｅｈには、把持サポート弾性体収容凹部１０ｇｅが形成されている。前記リリース弾性体結合凹部は、下側ボディー部１０Ａの長手方向に平行な略一字形溝状に形成される。また、下側ボディー部１０Ａの上面には、前方のボルト孔１２ａ１、ストップ突部、ロッキング部材昇降凹部 及びリリース弾性体結合凹部の一部が領域内に入るように一定面積の把持具２０のスライド凹部１６が形成されている。スライド凹部１６は、両側位置に板状把持具２０の両端部が接触した状態でスライドするようにするスライドガイド段を備えた凹形である。また、下側ボディー部１０Ａは、リリース弾性体結合凹部の後側位置に後方のボルト孔１２ａ２を備えることができる。そして、下側ボディー部１０Ａは、先端部に調理容器２を把持することができるようにする把持面１０ｓを備えている。
【００１５】
前記上側ボディー部１０Ｂは、下側ボディー部１０Ａと向い合う底面に円形凹形の上側カム結合凹部１４ｂ１が形成されている。また、上側カム結合凹部１４ｂ１には、カム３０の上側レバー結合部３４が結合して上側に突出するようにする円形孔状の上側カム３０の結合孔１４ｂ２が形成されている。また、上側ボディー部１０Ｂの底面において下側ボディー部１０Ａのロッキング部材昇降凹部に対応する位置にはボタン孔１６ｂ（本発明においては、ボタン孔１６ｂが三角形孔に形成される）が形成されており、ボタン孔１６ｂの後側位置には、下側ボディー部１０Ａのリリース弾性体結合凹部と対応する一字形溝状の上側リリース弾性体結合凹部が形成されることができる。また、上側ボディー部１０Ｂは、上側カム結合凹部１４ｂ１の前側位置に下側ボディー部１０Ａのボルト孔１２ａ１と合うボルト挿入孔１２ｂ１を備え、上側リリース弾性体結合凹部の後側位置には下側ボディー部１０Ａのボルト孔１２ａ２と合う後方側のボルト挿入孔１２ｂ２が形成されることができる。
【００１６】
前記把持具２０は取っ手ボディー１０の先端部で相対的に進退するように取っ手ボディー１０の内部に結合されるものであり、把持具２０の先端部には、取っ手ボディー１０の把持面１０ｓとの間に容器２を把持することができる把持空間を形成する把持片２２を備える。本発明において、把持具２０は前後に長い四角板状に構成され、このような把持具２０が上下に結合された取っ手ボディー１０の把持具２０のスライド凹部１６に結合される。また、把持具２０は先端部から基端部の方向に沿って順次長孔形の引出ストップ孔２１、把持作動孔４０及びボタンスライド孔が備えられている。
【００１７】
前記取っ手ボディー１０には正逆回転可能にカム３０が結合されている。この際、カム３０の上側にはレバー３６に形成された断面六角形のカム結合突部に結合されるための断面六角形のレバー結合凹部が備えられている。レバー結合凹部はカム３０の直径より小さな直径を有する断面六角ブロック状に構成されたものである。また、カム３０の下側中心部にはカム軸３２が備えられ、このカム軸３２を中心に半径方向外側に伸びた把持カム部５０が備えられている。カム３０のレバー結合凹部の中央部に締結具挿入孔が形成され、レバー３６のカム結合突部がカム３０のレバー結合凹部に結合された状態でボルト状の締結具をカム３０のレバー結合凹部の下側から締結具挿入孔に挿入し、レバー３６のカム結合突部の中央部のネジ状の締結孔に締め付ければ、レバー３０とカム３２が上側ボディー部１０Ｂに回転可能に結合できる。
【００１８】
前記カム３０の下側把持カム部５０は、カム３０の回転中心部（つまり、カム軸３２を基準とする回転中心部）から半径方向外側に伸びるとともに互いに広がる回転把持ガイド面５０ａと接触把持係止面５０ｂを備えた略扇形ブロック状に構成される。すなわち、カム３０の回転中心部（具体的に、カム軸３２の中心部）から把持カム部５０の先端部中央を通る長手方向の中心線を基準に把持カム部５０の一側面と他側面にそれぞれ回転把持ガイド面５０ａと接触把持係止面５０ｂが備えられている。好ましくは、回転把持ガイド面５０ａと接触把持係止面５０ｂの先端部を繋ぐ中間部は円弧形曲面部に構成される。また、前記把持カム部５０の回転把持ガイド面５０ａの外表面も曲面部に形成され、前記カム３０と把持カム部５０の回転の際、後述するロッキング部材６０の把持サポート部６２をなす把持ガイド面６２ａを把持カム部５０の回転把持ガイド面５０ａが滑らかに越えるように構成される。
【００１９】
前記把持具２０に形成された把持作動孔４０は把持具２０の前後移動方向に伸びた一側の第１サイドカム孔面４２と、この第１サイドカム孔面４２に繋がり、把持具２０の前後移動方向とは交差する方向に伸びたフロントカム孔面４４と、このフロントカム孔面４４と交差する方向に繋がり、把持具２０の前後移動方向に伸びた他側の第２サイドカム孔面４６と、前記第１サイドカム孔面４２及び第２サイドカム孔面４６に繋がり、把持具２０の前後移動方向とは交差する方向に伸び、フロントカム孔面４４より後方位置に配置された把持作動カム孔面４８とを備える。
【００２０】
この際、前記把持具２０の把持作動孔４０をなす把持作動カム孔面４８は、カム３０の把持カム部５０の回転作動の際、取っ手ボディー１０の先端部の把持面１０ｓと把持具２０の先端部の把持片２２の間に確保される把持空間の範囲を最大化するとともに把持具２０の後進動作がなされるように、把持具２０の進退方向に対して一定角度で傾くように形成されたことを特徴とする。前記把持作動カム孔面４８は、把持作動孔４０の第２サイドカム孔面４６（本発明においては、把持具２０の上部から見るとき、左側に配置される）に対して 鋭角で広がり、第１サイドカム孔面４２（本発明においては、把持具２０の上部から見るとき、右側に配置される）に対しては 鈍角で広がるように斜めに形成されたものである。すなわち、把持作動カム孔面４８の右側が左側より把持具２０の先端側に位置するように斜めに配置された構造を取っている。
【００２１】
前記カム３０に備えられた把持カム部５０は、把持具２０の把持片２２が取っ手ボディー１０の先端部の把持面１０ｓから最も遠い距離に引き出されたリリース状態で、把持作動カム孔面４８の前記一端部側位置（前記カム３０の回転時にロッキング部材６０の把持サポート部６２にかかるための位置）に配置される。すなわち、前記把持作動カム孔面４８は把持具２０の上部から見るとき、把持具２０の長手方向の中心部を基準に左側位置に一端部が配置され、右側位置に他端部が配置され、前記把持作動カム孔面４８の右側端部が左側端部より把持具２０の先端側にもっと前進した位置に配置されるように斜めに延び、前記カム３０に備えられた把持カム部５０の回転把持スタート地点が把持作動カム孔面４８の左側に配置され、前記カム３０と把持カム部５０の回転によって、把持具２０に形成された把持作動孔４０の把持作動カム孔面４８が把持カム部５０によって後に押されて把持具２０が取っ手ボディー１０の内部に引き込まれる把持作動がなされるようになる。この際、前記把持作動孔４０の第１サイドカム孔面４６は把持具２０の進退方向に平行な直線延長型カム孔面でなり、前記第２サイドカム孔面４８はカム３０に備えられた把持カム部５０の先端部が越えるように曲面孔状に構成されることがより好ましい。
【００２２】
前記取っ手ボディー１０にはロッキング部材６０が備えられる。このようなロッキング部材６０は取っ手ボディー１０に形成されたロッキング部材昇降凹部に結合されたままで上下に移動可能に構成され、前記取っ手ボディー１０のロッキング部材昇降凹部とロッキング部材６０の底面の間には把持サポート弾性体７０が介装され、前記把持サポート弾性体７０の上向弾性力によってロッキング部材６０の一側に備えられた把持サポート部６２がカム３０に備えられた把持カム部５０にかかって把持カム部５０の回転軌跡上にかかるようにロッキング部材６０が上向きに弾支される。
【００２３】
前記ロッキング部材６０は、把持サポート部６２が一側に備えられ、上面にはリリースボタン６３が備えられたロッキングボディー部６５を含み、前記取っ手ボディー１０の内部にはロッキングボディー部６５の底面及び把持サポート部６２の底面と向い合う位置にそれぞれロッキングボディー部昇降凹部１２ｅｈ及び把持サポート部昇降凹部１３ｅｈが形成され、前記ロッキング部材６０のロッキングボディー部６５と前記取っ手ボディー１０の内部のロッキングボディー部昇降凹部１２ｅｈの間に把持サポート弾性体７０が介装される。この際、把持サポート弾性体７０、７６はコイルスプリングでなり、前記ロッキングボディー部６５の底面には結合ピン部または結合凹部が備えられ、ロッキング部材６０の下端部の結合ピン部または結合凹部に把持サポート弾性体７０、７６が結合された状態で、取っ手ボディー１０のロッキングボディー部昇降凹部１２ｅｈに備えられた把持サポート弾性体収容凹部１０ｇｅに前記把持サポート弾性体７０の下端部が結合された構造を取ることができる。
【００２４】
また、前記ロッキング部材６０の把持サポート部６２の上面はロッキングボディー部６５の上面より低い位置に形成され、前記把持サポート部６２の底面はロッキングボディー部６５の底面より低い位置に形成され、前記取っ手ボディー１０の内部の把持サポート部昇降凹部１３ｅｈの底部はロッキングボディー部昇降凹部１２ｅｈの底部より深い位置に形成されているので、前記ロッキング部材６０が下降するとき、把持サポート部６２は取っ手ボディー１０の把持サポート部昇降凹部１３ｅｈに入って下降するように構成される。
【００２５】
また、前記取っ手ボディー１０は、昇降凹部の上部位置に外表面に開放したボタン孔１６ｂを備え、前記ロッキング部材６０は、上側に伸びて取っ手ボディー１０のボタン孔１６ｂに挿入されて取っ手ボディー１０の外側に露出されるリリースボタン６３、７８を備える。リリースボタン６３はロッキング部材６０のロッキングボディー部６５の上面に形成されている。
【００２６】
本発明は、ロッキング部材６０がカム３０に備えられた把持カム部５０から離脱するとき、把持具２０が取っ手ボディー１０の先端部から全く引き出されるように弾支するリリース弾性体２８を含む。本発明において、リリース弾性体２８はコイルスプリングの構造を取っており、把持具２０の基端部にはスプリング結合片が備えられ、把持具２０のスプリング結合片にコイルスプリング構造のリリース弾性体２８が結合されるとともに取っ手ボディー１０のリリース弾性体結合凹部に定着された構造を取っているので、把持具２０が取っ手ボディー１０の内部に後退して収納されるときにはリリース弾性体２８が圧縮されながら弾性力を作用することができる状態となり、前記ロッキング部材６０がカム３０に備えられた把持カム部５０から離脱されるときにリリース弾性体２８が自体の弾性復元力によって把持具２０を押して取っ手ボディー１０の先端部から全く引き出されるように弾支するものである。
【００２７】
前記取っ手ボディー１０の内部に形成された把持具２０のスライドガイド凹部、軸孔、ロッキング部材昇降凹部 及びリリース弾性体結合凹部にそれぞれ把持具２０とカム３０のカム軸３２、ロッキング部材６０及びリリース弾性体２８を結合した状態で、前記上側ボディー部１０Ｂと下側ボディー部１０Ａのボルト挿入孔とボルト孔にボルトを締結することで、本発明の着脱式容器取っ手が組立てられる。前記上側ボディー部１０Ｂの前方側ボルト挿入孔と下側ボディー部１０Ａの前方側に備えられたストップ突部は把持具２０に長手方向に伸びた長孔形の引出ストップ孔２１に同時に挿入された状態となり、把持具２０が前記ボルトにかかって取っ手ボディー１０から全く分離される現象を防止する引出ストッパー機能をするようになる。
【００２８】
このような構成の本発明の作動について図面を参照して説明すれば次のようである。
【００２９】
図１２及び図１３は本発明の要部である把持具２０が取っ手ボディー１０の先端部から全く引き出されたリリース状態を示す。図１２及び図１３のリリース状態においては、把持具２０に形成された把持作動孔４０の把持作動カム孔面４８の一端部側位置（前記カム３０の回転の際、ロッキング部材６０の把持サポート部６２にかかるための位置）に配置される。すなわち、前記把持作動カム孔面４８は、把持具２０の上部から見るとき、把持具２０の長手方向の中心部を基準に左側位置に一端部側が配置され、右側位置に他端部が配置され、前記把持作動カム孔面４８の右側端部が左側端部より把持具２０の先端側にもっと前進した位置に配置されるように斜めに伸び、前記カム３０に備えられた把持カム部５０の回転把持スタート地点が把持作動カム孔面４８の左側に配置されるものである。このようなリリース状態では、前記把持具２０の先端部の把持片２２が取っ手ボディー１０の先端部の把持面１０ｓから全く離隔して、容器２（調理容器２など）を把持しなかった状態となり、カム３０に結合（具体的に、カム３０の上側レバー結合部３４に結合）されているレバー３６は把持具２０の長手方向に対しておよそ直角方向に回動した状態となる。
【００３０】
図１２及び図１３のリリース状態において、カム３０に結合されたレバー３６を内側方向（図１５を基準に右側方向）に１次に回すと、前記カム３０と把持カム部５０が回転する。このような回転によって把持カム部５０の一側面の回転把持ガイド面５０ａが前記ロッキング部材６０の一側に備えられた把持サポート部６２の一側面に備えられた把持ガイド面６２ａを越える。この際、前記把持カム部５０の回転把持ガイド面５０ａの外表面は曲面部でなり、ロッキング部材６０の把持サポート部６２の把持ガイド面６２ａも曲面部でなるので、カム３０と把持カム部５０を回転させるとき、ロッキング部材６０の把持サポート部６２の把持ガイド面６２ａを把持カム部５０の回転把持ガイド面５０ａが滑らかに越えるので、把持カム部５０とロッキング部材６０の把持サポート部６２の係止作用がより滑らかになされる。前記のように、カム３０に備えられた把持カム部５０がロッキング部材６０の一側の把持サポート部６２を越えるときにはロッキング部材６０が下降するようになる。
【００３１】
一方、前記カム３０の把持カム部５０がロッキング部材６０の把持サポート部６２を越える瞬間にも把持具２０に形成された把持作動孔４０の把持作動カム孔面４８に沿ってスライドしながら把持作動カム孔面４８を後ろに押すので、把持具２０と把持片２２が取っ手ボディー１０の先端部の把持面１０ｓに近くなるように引かれる１次把持状態に転換される。
【００３２】
ついで、カム３０と把持カム部５０を続いて回転させるとき、把持カム部５０がロッキング部材６０に備えられた把持サポート部６２を全く越えれば、把持カム部５０の他側面に備えられた接触把持係止面５０ｂがロッキング部材６０の把持サポート部６２の他側面に備えられた把持サポート面６２ｂにかかるので、把持具２０の把持片２２が取っ手ボディー１０の先端部の把持面１０ｓに１次に近づくように引かれた１次把持状態を維持し、このような１次把持状態で、把持具２０の把持片２２と取っ手ボディー１０の先端部の把持面１０ｓによって容器を１次に把持することができるようになる。
【００３３】
図１４及び図１５は１次把持状態を示す。前記把持カム部５０の接触把持係止面５０ｂは角を有する断面（略直角断面）でなり、ロッキング部材６０のロッキングサポート部の把持サポート面６２ｂも角を有する断面（略直角断面）でなり、前記カム３０と把持カム部５０がロッキング部材６０の把持サポート部６２から離脱する逆方向に逆回転することがないので、安定に容器を１次把持する１次把持状態を維持することができるようになる。
【００３４】
図１４及び図１５に示す１次把持状態からレバー３６をさらに内側位置に回転（把持具２０の進退方向に平行な方向に回転）させれば、前記カム３０と把持カム部５０が続けて回転しながら把持具２０の把持作動孔４０の把持作動カム孔面４８を続けて押すので、把持具２０が続いて取っ手ボディー１０の内側に後退し、前記把持カム部５０の第２カム３０の面５４が把持具２０の把持作動孔４０をなす第１サイドカム孔面４２に接触する位置まで全く回転すれば、把持具２０が取っ手ボディー１０の内部に全く後退した状態となり、把持具２０の先端部の把持片２２と取っ手ボディー１０の先端部の把持面１０ｓの間の間隔が１次把持状態より小さくなるので、容器２を全く把持することができる状態（つまり、前記容器２を全く把持する状態が２次把持状態）となる。図１６及び図１７は容器２の２次把持状態を示す。
【００３５】
前記カム３０に備えられた把持カム部５０の回転把持スタート地点が把持具２０に形成された把持作動孔４０の把持作動カム孔面４８の一端部側位置に配置され、前記把持作動カム孔面４８の他端部側は把持具２０の先端部方向にもっと前進した形態に把持作動カム孔面４８が斜めに形成され、前記把持作動カム孔面４８とカム３０の回転中心部の間の距離は前記一端部側から他端部側に行くほど次第に小さくなる一方、前記把持カム部５０とカム３０の回転中心部の間の距離は一定して把持カム部５０の回転半径が一定であるため、カム３０と把持カム部５０が前記回転把持スタート地点（つまり、前記把持作動カム孔面４８の一端部側位置であり、図２６では左側位置）から前記把持作動カム孔面４８の他端部側位置に回転することにより、把持カム部５０によって把持作動カム孔面４８と一緒に把持具２０が取っ手ボディー１０の後端部側に押されるので、容器を把持する１次把持状態及び２次把持状態に切り換えることができるようになる。
【００３６】
この際、本発明において重要なものは、把持具２０の把持作動孔４０をなす把持作動カム孔面４８が前記把持具２０の進退方向に対して一定角度で斜めに形成されているので、前記カム３０の下側把持カム部５０を回転作動させるとき、取っ手ボディー１０の先端部の把持面１０ｓと把持具２０の把持片２２の間に確保される把持空間の範囲を最大化することにより、容器２の多様な厚さに応じて容器２を把持することができるという点である。すなわち、把持具２０の把持作動孔４０をなす把持作動カム孔面４８の一側が他側より把持具２０の先端側にもっと前進するように斜めに配置された構造を取っているので、前記カム３０の把持カム部５０が把持作動カム孔面４８に接触して回転しながら把持具２０を進退作動させることができる円周距離をより増やすことができ、このようにカム３０の把持カム部５０が把持具２０の把持作動カム孔面４８と接触して把持具２０を引く円周有効距離（ＣＡ）を増やすことで把持具２０の進退距離範囲をより拡張させ、把持具２０の先端部の把持片２２と取っ手ボディー１０の先端部の把持面１０ｓの間での容器２の把持用空間の距離範囲をより広く調節することができるので、すべての厚さの容器２を滑らかで安定に把持して移動させることができるという点が本発明の主要特徴であるといえる。容器２の厚さが１ｍｍ、２ｍｍ、３ｍｍ、４ｍｍのような多様な厚さを持つように容器２を製作することができる。本発明においては、前記把持具２０の把持作動孔４０の構成である把持作動カム孔面４８に接触して把持具２０を引くことができるカム３０の把持カム部５０の円周形第３カム３０の面５６の有効円周長さを最大に増やすことができるものなので、前記のようにすべての厚さの容器２を滑らかで安定に把持して移動させることができるものである。
【００３７】
図１２及び図１３に示す１次把持状態で、カム３０と把持カム部５０の継続した回転によって把持カム部５０は点Ａの地点に移り、図１５に示された有効距離（ＣＡ）の範囲だけ拡張した円周距離で接触して把持具２０を引き、これにより把持具２０の前後移動距離範囲が最大に拡張するので、前記のように、１ｍｍ、２ｍｍ、３ｍｍ、４ｍｍのいずれか厚さを持った容器２であっても容器２を滑らかで安定的に把持して移動させることができるようにするという点で意味があるものである。
【００３８】
言い換えれば、前記把持具２０の把持片２２と取っ手ボディー１０の把持面１０ｓの間の容器２の把持空間距離範囲をより増やすことができ、これにより、容器２を把持することができる範囲をその分だけ増やすことができるものであり、これは本発明の着脱式容器取っ手で把持して移すことができる容器２の規格範囲を一層増やして、容器２に対する互換性を極大化することができることを意味する。一方、ｆ１はカム３０の把持カム部５０によって把持具２０を固定する力（把持力）の方向であり、ｆ２は把持カム部５０の第３カム３０の面５６が把持具２０のスライド作動孔の把持作動カム孔面４８で滑ろうとする力の方向を意味する。この際、ｓｉｎθ＝ｆ１／ｆ２において、ｆ２が０に収斂すればｆ１は無限大に収斂するので、究極にカム３０の把持カム部５０によって把持具２０を把持する力（把持力）ｆ１が無限大になるため、カム３０と一緒に把持カム部５０を使用者がわざわざ回転させない限り、カム３０と把持カム部５０によって把持具２０を固定する状態が解除されることは全然発生しない。このように安定に把持具２０を後進させて容器２の厚さに応じて把持することができる使用互換性を極大化することができるものである。このような状態を容器２の把持厚さの範囲を極大化するとともに最も安定に把持することができるジャークポジションと言える。
【００３９】
一方、本発明によって容器２を把持して移動させるなどの仕事を行った後には容器２を再びリリースさせなければならない。この際、前記容器２を把持具２０の把持片２２と取っ手ボディー１０の把持面１０ｓで全く把持した状態で、レバー３６を左側方向（つまり、前記レバー３６を容器２を把持するための状態に回した方向の反対方向）に回すと、カム３０と把持カム部５０が図１４及び図１５に示す方向（つまり、容器２を把持するための状態にカム３０を回した方向の反対方向）に回転し、把持具２０と把持片２２は取っ手ボディー１０の先端部に再び引き出されて１次把持状態に転換され、前記ロッキング部材６０の把持サポート部６２の把持サポート面６２ｂにカム３０に備えられた把持カム部５０の接触把持面が当触して係合された状態となるので、再び１次把持状態に転換される。
【００４０】
ついで、前記取っ手ボディー１０の上部に露出されたロッキング部材６０のリリースボタン６３の部分（ロッキング部材６０の上端部に備えられ、上側ボディー部１０Ａのボタン孔１６ｂ上に露出された部分）を押し込めば、ロッキング部材６０が下降するにつれてロッキング部材６０の把持サポート部６２が下降して、カム３０に備えられた把持カム部５０から離脱し、この瞬間に把持具２０の後進によって圧縮されていたリリース弾性体２８が弾性復元力によって把持具２０を取っ手ボディー１０の先端部方向に押し付け、把持具２０が取っ手ボディー１０の先端部方向に押される瞬間には、カム３０と把持カム部５０も把持具２０の把持作動孔４０の部分が前進することによって回転中心部（つまり、カム３０の回転軸）を基準に回転し、把持具２０と把持片２２が取っ手ボディー１０から全く引き出されて容器２の把持状態を解除するリリース状態（図１３及び図１４の状態）に転換されるようにすることができる。この際、本発明では、取っ手ボディー１０をなす下側ボディー部１０Ａと上側ボディー部１０Ｂを互いに固定するために締結された前方側のボルトがストップ突部に備えられ、このストップ突部は把持具２０の長手方向に形成された引出ストップ孔２１に結合されているため、把持具２０が取っ手ボディー１０の先端部に全く引き出された状態で前記ストップ突部に把持具２０の引出ストップ孔２１がかかるので、把持具２０が取っ手ボディー１０から離脱してしまう現象を防止することができるようになる。
【００４１】
また、前記ロッキング部材６０を上向きに弾支するための把持サポート弾性体７０、７６はコイルスプリングの構造でなり、前記ロッキング部材６０の下端部には結合ピン部または結合凹部が備えられ、ロッキング部材６０の結合ピン部または結合凹部に把持サポート弾性体７０、７６が結合された状態で、取っ手ボディー１０の昇降凹部とロッキング部材６０の間に弾性体７６が配置される構造を取ることが好ましい。ロッキング部材６０の下端に突出した結合ピン部または結合凹部にコイルスプリング構造の把持サポート弾性体７０、７６を結合した状態でめったに分離されなく、前記把持サポート弾性体７０、７６とともにロッキング部材６０を取っ手ボディー１０の昇降凹部（つまり、ロッキング部材６０の昇降のための溝と言える）に結合する作業をより迅速で易く行うことができるので、組立て作業性などの面でより優秀である。もちろん、前記ロッキング部材６０の下端部に結合凹部を備え、この結合凹部にコイルスプリング状の弾性体７６を結合した状態で、取っ手ボディー１０の昇降凹部にロッキング部材６０及び弾性体７６を結合することも可能である。このような場合には、ロッキング部材６０の結合凹部の直径が弾性体７６の直径より小さくて弾性体７６がロッキング部材６０の結合凹部に多少締まりばめ式で結合されるようにすることが好ましい。このような場合には、ロッキング部材６０の結合凹部に弾性体７６が結合された状態でめったに分離できないので、やはり組立て作業などが容易である。
【００４２】
また、本発明においては、ロッキング部材６０のロッキングボディー部６５の中央部に前記把持サポート弾性体７０が結合され、ロッキングボディー部６５が長手方向の中央部を基準に両側に均等に上向弾支力が作用し、ロッキング部材６０のロッキングボディー部６５はその上に載せられる把持具２０の底面によって支持される。前記のように、ロッキング部材６０と把持具２０を取っ手ボディー１０に組立てる作業の際、ロッキング部材６０が長手方向の中心部を基準にいずれか一側に偏ることがないので、組立て作業が一層便利で迅速である。
【００４３】
また、本発明は、容器を１次に把持した状態を維持するロッキング機能と、１次把持状態からリリース状態に切り換えるアンロッキング機能（つまり、容器を１次に把持した力を解除するリリース機能）を果たす単一部品をロッキング部材６０に統合するように構成することで、容器取っ手そのものの構成もよほど簡素化することができる効果を持ち、これにより生産性が向上するなどのいろいろ好ましい効果を期待することができる。具体的に、把持具２０が１次に後進して容器を１次に把持する１次把持状態で、ロッキング部材６０に備えられた把持サポート部６２がカム３０に備えられた把持カム部５０にかかって１次把持状態を維持するが、ロッキング部材６０から取っ手ボディー１０の上面に露出されたリリースボタン６３を押し込めば、ロッキング部材６０と把持サポート部６２が下降してカム３０の把持カム部５０との係合が解除されることによって把持具２０と把持片２２が取っ手ボディー１０の先端側に全く引き出されるリリース状態に切り換えることができるので、容器取っ手そのものの構成が非常に簡素化しながらも作動上の安全性はより高め、さらに製品の生産性が向上するなどのいろいろの好ましい結果を期待することができるものである。
【産業上の利用可能性】
【００４４】
本発明は、従来に比べて簡素化して構造及び費用の面などでより効率的であり、調理容器の厚さに応じて比較的互換的に使うことができ、調理容器の厚さに応じて多様な規格の取っ手を常備する必要がないので、消費者に対する経済的負担の加重問題を解決し、さらに前記のような調理容器の厚さに応じて互換的に把持することができる構造は、よりシンプルでありながらも堅固で安定的に具現することで製品の信頼性をより高めることができるので、多方面に好ましい結果を提供することができる新規の着脱式容器取っ手に適用可能である。
【符号の説明】
【００４５】
２    容器
１０    取っ手ボディー
１０Ａ    下側ボディー部
１０Ｂ    上側ボディー部
１６    スライド凹部
２０    把持具
２１    引出ストップ孔
２８    リリース弾性体
３０    カム
３２    カム軸
３４    レバー結合部
３６    レバー
４０    把持作動孔
４２    第１サイドカム孔面
４４    フロントカム孔面
４６    第２サイドカム孔面
４８    把持作動カム孔面
５０    把持カム部
５０ａ    回転把持ガイド面
５０ｂ    接触把持係止面
６０    ロッキング部材
６２    把持サポート部
６２ａ    把持ガイド面
６２ｂ    把持サポート面
６３    リリースボタン
６５    ロッキングボディー部
７０    把持サポート弾性体
【図１】
2014036838.tif 000003
【図２】
2014036838.tif 000004
【図３】
2014036838.tif 000005
【図４】
2014036838.tif 000006
【図５】
2014036838.tif 000007
【図６ａ】
2014036838.tif 000008
【図６ｂ】
2014036838.tif 000009
【図７】
2014036838.tif 000010
【図８】
2014036838.tif 000011
【図９】
2014036838.tif 000012
【図１０】
2014036838.tif 000013
【図１１】
2014036838.tif 000014
【図１２】
2014036838.tif 000015
【図１３】
2014036838.tif 000016
【図１４】
2014036838.tif 000017
【図１５】
2014036838.tif 000018
【図１６】
2014036838.tif 000019
【図１７】
2014036838.tif 000020
【図１８】
2014036838.tif 000021
【図１９】
2014036838.tif 000022
【図２０】
2014036838.tif 000023
【図２１】
2014036838.tif 000024
【図２２】
2014036838.tif 000025
【図２３】
2014036838.tif 000026
【図２４】
2014036838.tif 000027
【図２５】
2014036838.tif 000028
【図２６】
2014036838.tif 000029
【図２７】
2014036838.tif 000030